(57)【要約】【課題】圧力損失の低減を図りつつ低負荷時のフラッディングを防止する。【解決手段】セパレータ２０を備える燃料電池において、セパレータ２０の面に第１のガス流路３０Ａと第２のガス流路３０Ｂとが形成されている。第１のガス流路３０Ａは、ガス供給マニホールド５０と接続される入口部３２Ａと、ガス排出マニホールド５２と接続される出口部３４Ａと、出口部３４Ａ付近に設けられ、ガス流量の増減に応じて開度を増減する弁体３６とを備える。【選択図】図２
2010123315.tif 000002
【特許請求の範囲】
【請求項１】
電解質膜上に電極が形成された膜電極接合体と、
前記膜電極接合体に対向して設けられるとともに、前記電極側の面に第１のガス流路が形成されるセパレータと
を備える燃料電池において、
前記第１のガス流路は、
ガス供給マニホールドと接続される入口部と、
ガス排出マニホールドと接続される出口部と、
前記出口部もしくは前記出口部付近に設けられ、ガス流量の増減に応じて開度を増減する弁体と
を備えることを特徴とする燃料電池。
【請求項２】
請求項１に記載の燃料電池であって、
前記弁体は、ガスの流れに応じて弾性変形する弾性部材により構成されたものである、燃料電池。
【請求項３】
請求項２に記載の燃料電池であって、
前記弾性部材はゴム製である、燃料電池。
【請求項４】
請求項１ないし３のいずれかに記載の燃料電池であって、
前記セパレータは、
前記電極側の面に、前記第１のガス流路と対に並べられる第２のガス流路が形成された構成であり、
前記第２のガス流路は、
閉塞された入口部と、
ガス排出マニホールドと接続される出口部と
を備える、燃料電池。
【請求項５】
電解質膜上に電極が形成された膜電極接合体と、
前記膜電極接合体に対向して設けられるとともに、前記電極側の面に第１のガス流路が形成されるセパレータと
を備える燃料電池において、
前記第１のガス流路は、
ガス供給マニホールドと接続される入口部と、
ガス排出マニホールドと接続される出口部と、
前記出口部付近に設けられ、ガスの流れを遮断するとともに当該流路内を摺動し得るピストンと、
前記ピストンに対して前記ガスの流れと逆の方向の力を与える弾性部材と
を備えることを特徴とする燃料電池。
【請求項６】
請求項５に記載の燃料電池であって、
前記弾性部材はバネである、燃料電池。
【請求項７】
請求項５または６に記載の燃料電池であって、
前記セパレータは、
前記電極側の面に、前記第１のガス流路と対に並べられる第２のガス流路が形成された構成であり、
前記第２のガス流路は、
閉塞された入口部と、
ガス排出マニホールドと接続される出口部と
を備える、燃料電池。
【発明の詳細な説明】
【技術分野】
【０００１】
本発明は、膜電極接合体とセパレータとを備える燃料電池に関する。
【背景技術】
【０００２】
従来、燃料電池用のセパレータとして、閉塞流路を有するセパレータが知られている（特許文献１）。閉塞流路とは、例えば櫛形の流路のような流路先端が閉塞されたものである。閉塞流路によれば、流路下のガス拡散層に反応ガス（燃料ガスおよび酸化剤ガス）が強制的に供給されることになり、ガス拡散層下の触媒層近傍の水滴や窒素などの不要ガスが強制的に排出される。このために、流路下に反応ガスが十分に行き渡り、燃料電池性能が向上する。
【０００３】
さらに、燃料電池用のセパレータとして、閉塞流路の閉塞部分を多孔質体で構成したセパレータが提案されている（特許文献２）。閉塞流路の場合、ガス拡散層内をガスが通ることによる圧力損失が大きいが、上記閉塞部分を多孔質体で構成することにより、圧力損失を低減することができる。したがって、このセパレータによれば、燃料電池性能の向上と反応ガスの圧力損失の低減との両立を図ることができる。
【０００４】
【特許文献１】特開平１１−１６５９１号公報
【特許文献２】特開２００６−１２７７７０号公報
【０００５】
しかしながら、前記従来の技術、すなわち、閉塞部分を多孔体で構成したセパレータを有する燃料電池では、低負荷時のガス流量が少ないときに、ガス拡散層内を潜り込むガス量が少なくなってしまい、フラッディングが発生する問題が発生した。
【発明の開示】
【発明が解決しようとする課題】
【０００６】
本発明は、上記の点に鑑みてなされたもので、圧力損失の低減を図りつつ低負荷時のフラッディングを防止することを課題とする。
【課題を解決するための手段】
【０００７】
本発明は、上述の課題の少なくとも一部を解決するためになされたものであり、以下の形態又は適用例として実現することが可能である。
【０００８】
［適用例１］  電解質膜上に電極が形成された膜電極接合体と、前記膜電極接合体に対向して設けられるとともに、前記電極側の面に第１のガス流路が形成されるセパレータとを備える燃料電池において、前記第１のガス流路は、ガス供給マニホールドと接続される入口部と、ガス排出マニホールドと接続される出口部と、前記出口部もしくは前記出口部付近に設けられ、ガス流量の増減に応じて開度を増減する弁体とを備えることを特徴とする燃料電池。
【０００９】
適用例１に記載の燃料電池によれば、第１のガス流路のガス流量の増減に応じて、第１のガス流路の出口部もしくは出口部付近に設けられた弁体の開度が増減されることから、第１のガス流路のガス流量に応じて出口部からのガス抜け量を調整することができる。出口部からのガス抜け量のガス供給量に対する比率を先端ガス抜け率と呼ぶとすると、ガス流量が大きいときには、弁体の開度は大きく、先端ガス抜け率は大きい。このため、ガス供給量が大きい高負荷時においては、先端ガス抜け率が増大し、膜電極接合体に向かってガス拡散層内に潜り込むガス量が低減しガスの圧力損失は小さくて済む。一方、ガス流量が小さいときには、弁体の開度は小さく、先端ガス抜け率は小さい。このため、ガス供給量が小さい低負荷時においては、先端ガス抜け率が低下し、ガス拡散層内に潜り込むガス量は増大することから、フラッディングを防止することができる。したがって、適用例１に記載の燃料電池によれば、圧力損失の低減を図りながらも、低負荷時にはフラッディングを防止することができる。
【００１０】
［適用例２］  適用例１に記載の燃料電池であって、前記弁体は、ガスの流れに応じて弾性変形する弾性部材により構成されたものである、燃料電池。
【００１１】
適用例２に記載の燃料電池によれば、ガス流量が大きいほど、弾性部材の弾性変形量は大きくなる。したがって、ガス流量の増減に応じて開度が増減する機能を必要とする弁体を弾性部材といった簡単な構成で作成することができる。
【００１２】
［適用例３］  適用例２に記載の燃料電池であって、前記弾性部材はゴム製である、燃料電池。
【００１３】
適用例３に記載の燃料電池によれば、弁体をゴム製にて簡単に構成することができる。
【００１４】
［適用例４］  適用例１ないし３のいずれかに記載の燃料電池であって、前記セパレータは、前記電極側の面に、前記第１のガス流路と対に並べられる第２のガス流路が形成された構成であり、前記第２のガス流路は、閉塞された入口部と、ガス排出マニホールドと接続される出口部とを備える、燃料電池。
【００１５】
適用例４に記載の燃料電池によれば、第１のガス流路からガス拡散層内に潜り込んだガスは、ガス拡散層内で拡散して電極触媒層内に至るとともに、第２のガス流路に達する。この第２のガス流路に達したガスは、第２のガス流路を出口部に向かって流れ、出口部から排ガスとして排出マニホールドへ送られる。このため、膜電極接合体に対する反応ガスの給排を確実に行うことができる。
【００１６】
［適用例５］  電解質膜上に電極が形成された膜電極接合体と、前記膜電極接合体に対向して設けられるとともに、前記電極側の面に第１のガス流路が形成されるセパレータとを備える燃料電池において、前記第１のガス流路は、ガス供給マニホールドと接続される入口部と、ガス排出マニホールドと接続される出口部と、前記出口部付近に設けられ、ガスの流れを遮断するとともに当該流路内を摺動し得るピストンと、前記ピストンに対して前記ガスの流れと逆の方向の力を与える弾性部材とを備えることを特徴とする燃料電池。
【００１７】
適用例５に記載の燃料電池によれば、ピストンにより、第１のガス流路の出口部付近が閉塞される。このピストンは、ガスの流れと逆の方向に弾性部材により付勢されていることから、ガス流量が大きいときには出口部に近い側に移動し、ガス流量が小さいときには出口部から離れた側に移動することになる。このため、ガス供給量が大きい高負荷時においては、出口部に近い側で流路が閉塞されることになることから、第１のガス流路を流れてきた大量のガスはその閉塞部であるピストンの直下を潜ってガス排出マニホールドに流出することになり、先端ガス抜け率（ここでは、出口部と出口部直下の部分を含めたガス抜け量のガス供給量に対する比率を「先端ガス抜け率」と呼ぶ）が増大し、膜電極接合体に向かってガス拡散層内に潜り込むガスの圧力損失は小さくて済む。一方、ガス流量が小さい低負荷時においては、出口部から離れた側で流路が閉塞されることになることから、閉塞部であるピストンの直下を潜ってガス排出マニホールドに流出するガス量は小さく、先端ガス抜け率は小さい。このため、ガス供給量が小さい低負荷時においては、先端ガス抜け率が低下し、ガス拡散層内に潜り込むガス量は増大することから、フラッディングを防止することができる。したがって、圧力損失の低減を図りながらも、低負荷時にはフラッディングを防止することができる。
【００１８】
［適用例６］  適用例５に記載の燃料電池であって、前記弾性部材はバネである、燃料電池。
【００１９】
適用例６に記載の燃料電池によれば、簡単な構成により、ピストンに対してガスの流れと逆の方向の力を与えることができる。
【００２０】
［適用例７］  適用例５または６に記載の燃料電池であって、前記セパレータは、前記電極側の面に、前記第１のガス流路と対に並べられる第２のガス流路が形成された構成であり、前記第２のガス流路は、閉塞された入口部と、ガス排出マニホールドと接続される出口部とを備える、燃料電池。
【００２１】
適用例７に記載の燃料電池によれば、第１のガス流路からガス拡散層内に潜り込んだガスは、ガス拡散層内で拡散して電極触媒層内に至るとともに、第２のガス流路に達する。この第２のガス流路に達したガスは、第２のガス流路を出口部に向かって流れ、出口部から排ガスとして排出マニホールドへ送られる。このため、膜電極接合体に対する反応ガスの給排を確実に行うことができる。
【００２２】
本発明は、上記適用例以外の種々の形態で実現可能であり、例えば、本発明の燃料電池を複数備えた燃料電池スタック、この種の燃料電池スタックを備えた発電システム、この種の発電システムを備えた車両等の移動体とした形態等で実現することが可能である。また、例えば、上記各適用例において、前記燃料電池に備えられる電解質膜は固体高分子膜とすることができる。この構成によれば、燃料電池の取り扱いの利便がよい。
【発明を実施するための最良の形態】
【００２３】
次に、本発明の実施の形態を実施例に基づいて以下の順序で説明する。
Ａ．第１実施例：
Ａ−１：燃料電池の構成：
Ａ−２：作用、効果：
Ｂ．第２実施例：
Ｃ．他の実施形態：
【００２４】
Ａ．第１実施例：
Ａ−１：燃料電池の構成：
図１は、本発明の第１実施例に係る燃料電池を模式的に示す説明図である。燃料電池は、多数の単セル１０が積層されたスタック構造としての燃料電池スタック１の形態で提供されており、図１では２つ分の単セル１０の縦断面が示されている。燃料電池スタック１の単セル１０は、主として、固体高分子電解質膜（以下、単に「電解質膜」と呼ぶ）１３の両面に電極１４、１５が配置された膜−電極接合体(Membrane Electrode Assembly、以下ＭＥＡという)１２と、ＭＥＡ１２を両面から挟み込むセパレータ２０、２０とを備えている。
【００２５】
ＭＥＡ１２は、電解質膜１３を二つの電極、つまり燃料極であるアノード１４と酸素極であるカソード１５とで挟みこんだものである。ここで、電解質膜１３は、湿潤状態で良好なプロトン伝導性を有する固体高分子材料で作製された膜であり、具体的にはフッ素系樹脂により形成された膜（デュポン社製のナフィオン膜等）などが挙げられる。
【００２６】
アノード１４及びカソード１５は、それぞれ電極触媒層１４ａ、１５ａとガス拡散層１４ｂ、１５ｂとによって構成されている。電極触媒層１４ａ、１５ａは、電解質膜１３に接触する側に位置し、白金微粒子を担持させた導電性カーボンブラックにより形成されている。一方、ガス拡散層１４ｂ、１５ｂは、電極触媒層１４ａ、１５ａに積層され（セパレータ２０に接触する側に位置し）、炭素繊維からなるカーボンペーパにより形成されている。なお、電極触媒層１４ａ、１５ａに含まれる白金は、水素をプロトンと電子に分けるのを促進したり酸素とプロトンと電子から水を生成する反応を促進する作用を有するものであるが、同様の作用を有するものであれば白金以外のものを用いてもよい。また、ガス拡散層１４ｂ、１５ｂは、カーボンペーパのほか、カーボンフェルト等によって形成してもよく、十分なガス拡散性および導電性を有していればよい。
【００２７】
ここでは、電極は電極触媒層とガス拡散層とによって構成されるものとしているが、狭義には、電極は電極触媒層が対応するものとしてもよい。すなわち、ＭＥＡ１２は、電解質膜１３と電極触媒層１４ａ、１５ａとにより構成するものとしてもよい。
【００２８】
セパレータ２０は、板状であり、ガスを透過しない緻密質であると共に、電気伝導性を有する材料で形成される。その形成には、例えば、圧縮成型された緻密質カーボン、金属、導電性樹脂を用いることができる。セパレータ２０の両面には、直線状の溝（凹部）が複数形成されている。この溝によって、ＭＥＡ２０との間に、電気化学反応に供される反応ガスの流路が形成される。すなわち、セパレータ２０とＭＥＡ１２のアノード１４との間には、水素を含有する燃料ガスが通過する燃料ガス流路（単セル内燃料ガス流路）３０が形成される。また、セパレータ２０とＭＥＡ１２のカソード１５との間には、空気などの酸素を含有する酸化剤ガスが通過する酸化剤ガス流路（単セル内酸化剤ガス流路）４０が形成される。
【００２９】
図２は、セパレータ２０を示す説明図である。図２（ａ）はセパレータ２０の平面図であり、図２（ｂ）は図２（ａ）におけるＡ−Ａ線矢視図である。図示するように、セパレータ２０は、長方形の板形状であり、前述した溝によって構成される燃料ガス流路３０や酸化剤ガス流路４０の他に、４つの孔（うち２つの孔は図示せず）５０、５２が設けられている。孔５０、５２は、セパレータ２０の一辺における両端側に離れて設けられており、かつ、複数の単セル１０を積層したときに、複数の単セル１０を貫くように設けられており、燃料ガスを燃料電池の積層方向（図中、ｚ方向）に流通可能とする流路を形成する。すなわち、セパレータ２０に形成された孔５０は、上流側の燃料ガスの流路を形成し、孔５２は、下流側の燃料ガスの流路を形成する。なお、セパレータに形成された図示しない２つの孔は、上流側の酸化ガスの流路および下流側の酸化ガスの流路を形成する。
【００３０】
上流側の燃料ガスの流路を形成する孔５０は、単セル内燃料ガス流路３０の一方端（以下「入口部」と呼ぶ）と接続されることで、外部から送られてきた燃料ガスを各単セルに分配する燃料ガス供給マニホールドとして機能する。下流側の燃料ガスの流路を形成する孔５２は、単セル内燃料ガス流路３０の他方端（上記孔５０が接続されたと反対側の端部：以下「出口部」と呼ぶ）とそれぞれ接続されることで、各単セル１０から排出された燃料ガスを集合させて燃料電池の外部へ導く燃料ガス排出マニホールドとして機能する。なお、セパレータに形成された図示しない２つの孔は、酸化剤ガス供給マニホールド、酸化剤ガス排出マニホールドとして機能する。
【００３１】
単セル内燃料ガス流路３０は、前述したように直線状の溝であり、複数本、用意されている。詳細には、単セル内燃料ガス流路３０は、第１の単セル内燃料ガス流路３０Ａと第２の単セル内燃料ガス流路３０Ｂとの２つの形態をとり、第１の単セル内燃料ガス流路３０Ａと第２の単セル内燃料ガス流路３０Ｂとが、交互に平行に並べられている。
【００３２】
第１の単セル内燃料ガス流路３０Ａは、前述したように、入口部３２Ａに燃料ガス供給マニホールドとしての孔（以下、燃料ガス供給マニホールドと呼ぶ）５０が接続され、出口部３４Ａに燃料ガス排出マニホールドとしての孔（以下、燃料ガス排出マニホールドと呼ぶ）５２が接続されている。第１の単セル内燃料ガス流路３０Ａの出口部３４Ａ付近には、ガス流量の増減に応じて開度を増減する弁体３６が設けられている。弁体３６の構造および動作の詳細については後述する。
【００３３】
一方、第２の単セル内燃料ガス流路３０Ｂについては、その入口部３２Ｂが閉塞されており、出口部３４Ｂに燃料ガス排出マニホールド５２が接続されている。
【００３４】
燃料ガス供給マニホールド５０に送られてきた燃料ガスは、各第１の単セル内燃料ガス流路３０Ａの入口部３２Ａから各第１の単セル内燃料ガス流路３０Ａに分配される。各第１の単セル内燃料ガス流路３０Ａにおいては、燃料ガスは出口部３４Ａに向かって流れるが、出口部３４Ａ付近で弁体３６により流量が調整されて燃料ガス排出マニホールド５２に抜ける。
【００３５】
なお、単セル１０内において燃料ガスは、各第１の単セル内燃料ガス流路３０Ａを通過するだけではなく、図２（ｂ）に示すように、溝の開口部分から積層方向（ｚ方向）に向かって進む。この結果、燃料ガスは、セパレータ２０に接合されたＭＥＡ１２におけるガス拡散層１４ｂ内に潜り込む。この潜り込んだガスは、ガス拡散層内で拡散して電極触媒層１４ａ内に至るとともに、各第２の単セル内燃料ガス流路３０Ｂにも達する。この第２の単セル内燃料ガス流路３０Ｂに達したガスは、第２の単セル内燃料ガス流路３０Ｂを出口部３４Ｂに向かって流れ、出口部３４Ｂから排ガスとして燃料ガス排出マニホールド５２へ送られる。
【００３６】
図３は、第１の単セル内燃料ガス流路３０Ａに設けられた弁体３６を示す斜視図である。弁体３６は、２枚の弁片３８、３９によって構成される。各弁片３８、３９は、長方形状の薄板であり、ゴム製であり、短辺側から長辺方向（ｚ方向）に見て湾曲している。各弁片３８、３９は、長辺側の一方の端面３８ａ、３９ａで、第１の単セル内燃料ガス流路３０Ａの内壁面に対して接着剤により接合されている。なお、接合の方向は、長辺の方向が第１の単セル内燃料ガス流路３０Ａの深さ方向（図中、−ｚ方向）となるものである。このため、弁体３６は、第１の単セル内燃料ガス流路３０Ａの深さ方向に延びるスリット状の開口を備えることになる。なお、この開口は、第１の単セル内燃料ガス流路３０Ａの下流側に向いている。
【００３７】
第１の単セル内燃料ガス流路３０Ａにおいて燃料ガスはｘ方向に流れるが、この燃料ガスの流量、すなわち単位時間当たりの体積流量により上記弁体３６の開口の面積が変化する。すなわち、燃料ガスの流量が小さいときは、弁体３６の開口面積は小さく、燃料ガスの流量が大きくなると、その流れにより弁片３８、３９が弾性変形して弁体３６の開口面積は大きくなる。詳しくは、燃料ガスの流量が０のときには、開口面積は０であり（開度＝０％）、ガス流量の大きさに比例して弁体３６の開口面積は増大し、燃料電池スタック１の電流密度が最大となったときの最大流量となったときには、開口面積は最大である（開度＝１００％）。
【００３８】
なお、図２、図３を用いて説明したのは単セル内燃料ガス流路３０についての構成であるが、単セル内酸化剤ガス流路４０についても、単セル内燃料ガス流路３０と同一の構成を備える。この結果、セパレータ２０に設けられた単セル内燃料ガス流路３０および単セル内酸化剤ガス流路４０を介して、ＭＥＡ１２に対して燃料ガスや酸化剤ガスが滞りなく供給される。こうした結果、燃料電池スタック１は、水素と酸素とを電気化学的に反応させて、化学エネルギを直接電気エネルギに変換する。
【００３９】
Ａ−２：作用、効果：
図４は、第１の単セル内燃料ガス流路３０Ａおよびその周辺の燃料ガスの流れを示す説明図である。図４（ａ）は低負荷時のものであり、図４（ｂ）は高負荷時のものである。
【００４０】
図４（ａ）に示すように、低負荷時においては、ガス供給量が少ないことから、第１の単セル内燃料ガス流路３０Ａ内のガス流量は「小」である。ガス流量が小さいときには、前述したように弁体３６の開口面積は小さくなることから、出口部からのガス抜け量は小さく、先端ガス抜け率は小さい。これにより、ガス拡散層１４ｂ内に潜り込むガス量が増大することになる。したがって、低負荷時においては、ガス拡散層１４ｂ内に潜り込むガス量が増大することから、ガス拡散層１４ｂに沿った電極触媒層１４ａ近傍の水滴や窒素などの不要ガスを容易に排出することができ、フラッディングを防止することができる。
【００４１】
図４（ｂ）に示すように、高負荷時においては、ガス供給量が多いことから、第１の単セル内燃料ガス流路３０Ａ内のガス流量は「大」である。ガス流量が大きいときには、前述したように弁体３６の開口面積は大きくなることから、出口部３４Ａからのガス抜け量は大きく、先端ガス抜け率は大きい。これにより、ガス拡散層１４ｂ内に潜り込むガス量が低減し、ガスの圧力損失は小さくて済む。
【００４２】
図５は、燃料電池スタック１の電流密度と先端ガス抜け率との関係を示すグラフである。このグラフは、実験的に求めたものである。同グラフ中の実線に示すように、燃料電池スタック１の電流密度の増加に比例して、先端ガス抜け率は増大する。なお、図中の破線は、［背景技術］の欄で説明した従来例、すなわち、閉塞部分を多孔体で構成したセパレータを有する燃料電池についてのものである。
【００４３】
図６は、燃料電池スタック１の電流密度とガス拡散層１４ｂにおける燃料ガスの圧力損失との関係を示すグラフである。このグラフは、実験的に求めたものである。同グラフ中の実線に示すように、燃料電池スタック１の電流密度の増加に伴って圧力損失は次第に増加し、電流密度が所定値ｊ１を超えると、圧力損失の増大の比率が極端に小さくなる。図中の破線は、前記従来例、すなわち閉塞部分を多孔体で構成したセパレータを有する燃料電池についてのものである。本実施例と従来例とを比較した場合、電流密度が所定値ｊ１以下の場合には、本実施例の圧力損失は、従来例の圧力損失よりも大きく、電流密度が所定値ｊ１以上である場合には、本実施例の圧力損失は、従来例の圧力損失よりも小さくて済む。
【００４４】
したがって、第１実施例の燃料電池スタック１によれば、理論的にも実験的にも、圧力損失の低減（特に高負荷時の圧力損失の低減）を図りながらも、低負荷時にはフラッディングを防止することができるという効果を奏することが判る。また、第１の単セル内燃料ガス流路３０Ａの先端ガス抜け率を調整するための弁体３６を、ゴム製の弁片３８、３９だけで構成することができることから、構成が容易であるという効果を奏する。
【００４５】
Ｂ．第２実施例：
本発明の第２実施例について次に説明する。第２実施例の燃料電池スタックは、第１実施例の燃料電池スタック１と比較して、弁体３６を除いて同一の構成を備える。
【００４６】
図７は、第２実施例の燃料電池スタック１に備えられるセパレータ１２０を示す説明図である。図７（ａ）はセパレータ１２０の平面図であり、図７（ｂ）は図７（ａ）におけるＢ−Ｂ線矢視図である。図示するように、セパレータ１２０に備えられる第１の単セル内燃料ガス流路１３０Ａの出口部１３４Ａ付近には、燃料ガスの流れを遮断するピストン１３６が設けられている。ピストン１３６は、第１の単セル内燃料ガス流路１３０Ａを構成する溝の縦断面に対応した形状（矩形）のピストン面を備えており、第１の単セル内燃料ガス流路１３０Ａを摺動可能な構成となっている。
【００４７】
ピストン１３６には、コイルばね１３８が連結されている。図８は、コイルばね１３８およびその周辺を示す破断斜視図である。図８に示すように、コイルばね１３８の一方端１３８ａが、ピストン１３６の裏面１３６ｂに固着されている。コイルばね１３８の他方端１３８ｂは、図７（ａ）に示すように、燃料ガス排出マニホールド１５２の内壁に固着されている。
【００４８】
上記構成により、ピストン１３６は、コイルばね１３８の復元力を受けて、ガスの流れと逆の方向（出口部１３４Ａから入口部１３２Ａに向かう方向）に付勢される。この結果、ピストン１３６は、第１の単セル内燃料ガス流路１３０Ａ内の燃料ガスの流れによるピストン面の押圧力とコイルばね１３８の復元力との釣り合いによって、第１の単セル内燃料ガス流路１３０Ａ内を往復動する。すなわち、燃料ガスの流量が小さいときには、ピストン１３６は出口部１３４Ａから離れた側に位置し、燃料ガスの流量が大きくなると、ピストン１３６は出口部１３４Ａに近い側に位置する。
【００４９】
詳しくは、ピストン面から出口部１３４Ａまでの距離を「閉塞長さ」と呼ぶものとすると、燃料ガスの流量が０のときには、閉塞長さは最大であり、ガス流量の大きさに比例して閉塞長さは短くなり、燃料電池スタック１の電流密度が最大となったときの最大流量となったときには、閉塞長さは最小である。
【００５０】
ピストン１３６およびコイルばね１３８は、第１実施例の弁体３６に替わるものであり、セパレータ１２０におけるピストン１３６およびコイルばね１３８以外の構成は、第１実施例のセパレータ２０と同一である。なお、本実施例においては、セパレータ１２０以外の部分については第１実施例と同一の符号を付けるものとする。
【００５１】
燃料ガスは、第１の単セル内燃料ガス流路１３０Ａを通過するときに、図７（ｂ）に示すように、溝の開口部分から積層方向（ｚ方向）に向かって進む。この結果、燃料ガスは、セパレータ１２０に接合されたＭＥＡ１２におけるガス拡散層１４ｂ内に潜り込む。この潜り込んだガスは、ガス拡散層１４ｂ内で拡散して電極触媒層内に至るとともに、各第２の単セル内燃料ガス流路１３０Ｂにも達する。この第２の単セル内燃料ガス流路１３０Ｂに達したガスは、第２の単セル内燃料ガス流路１３０Ｂを出口部１３４Ｂに向かって流れ、出口部１３４Ｂから排ガスとして燃料ガス排出マニホールド１５２へ送られる。
【００５２】
さらに、第１の単セル内燃料ガス流路１３０Ａ内からガス拡散層１４ｂ内に潜り込んだ燃料ガスの一部は、ガス拡散層１４ｂ内の出口部直下の部分から燃料ガス排出マニホールド１５２へ抜ける。この抜け量は、ピストン１３６の位置によって変化する。どのように変化するかを次に説明する。
【００５３】
図９は、第１の単セル内燃料ガス流路１３０Ａおよびその周辺の燃料ガスの流れを示す説明図である。図９（ａ）は低負荷時のものであり、図９（ｂ）は高負荷時のものである。
【００５４】
図９（ａ）に示すように、低負荷時においては、ガス供給量が少ないことから、第１の単セル内燃料ガス流路１３０Ａ内のガス流量は「小」である。ガス流量が小さいときには、前述したように閉塞長さＬは長くなる。閉塞長さＬが長い場合には、第１の単セル内燃料ガス流路１３０Ａ内からガス拡散層１４ｂ内に潜り込み、ガス拡散層１４ｂ内の出口部直下の部分から燃料ガス排出マニホールド１５２へ抜けるガス抜け量は小さくなることから、先端ガス抜け率は小さい。これにより、ガス拡散層１４ｂ内に潜り込むガス量が増大することになる。したがって、低負荷時においては、ガス拡散層１４ｂ内に潜り込むガス量が増大することから、ガス拡散層１４ｂに沿った電極触媒層１４ａ近傍の水滴や窒素などの不要ガスを容易に排出することができ、フラッディングを防止することができる。
【００５５】
図９（ｂ）に示すように、高負荷時においては、ガス供給量が多いことから、第１の単セル内燃料ガス流路３０Ａ内のガス流量は「大」である。ガス流量が大きいときには、前述したように閉塞長さＬは短くなる。閉塞長さＬが短い場合には、第１の単セル内燃料ガス流路１３０Ａ内からガス拡散層１４ｂ内に潜り込み、ガス拡散層１４ｂ内の出口部直下の部分から燃料ガス排出マニホールド１５２へ抜けるガス抜け量は大きくなることから、先端ガス抜け率は大きい。これにより、ガス拡散層１４ｂ内に潜り込むガス量が低減し、ガスの圧力損失は小さくて済む。
【００５６】
なお、第２実施例においても、第１実施例と同様に、電流密度と先端ガス抜け率との関係、および電流密度と圧力損失との関係を調べたが、これらは、第１実施例における図５および図６と同様の結果を得ることができた。
【００５７】
したがって、第２実施例によれば、第１実施例と同様に、圧力損失の低減（特に高負荷時の圧力損失の低減）を図りながらも、低負荷時にはフラッディングを防止することができるという効果を奏する。
【００５８】
Ｃ．他の実施形態：
なお、この発明は上記の実施例や変形例に限られるものではなく、その要旨を逸脱しない範囲において種々の態様で実施することが可能であり、例えば次のような他の実施形態も可能である。
【００５９】
（１）上記第１実施例では、弁体３６は、第１の単セル内燃料ガス流路３０Ａの出口部３４Ａ付近に設けられていたが、これに換えて、出口部、すなわち燃料ガス排出マニホールドとの接続部分に設ける構成としてもよい。
【００６０】
（２）上記第１実施例では、弁体３６を構成する弁片３９、３９は、ゴム製としたが、これに換えて、樹脂等、他の弾性材料製としてもよい。また、弁片の全体を弾性材料で作る必要は必ずしもなく、ガス流路の壁面との接着部分近くだけを弾性材料として開閉し得る構成としてもよい。また、弁体３６は、２枚の弁片３９、３９により真ん中から左右に開く構成としていた、これに換えて、１枚の弁片により開く構成としてもよい。
【００６１】
（３）上記第２実施例では、ピストン１３６は、コイルばね１３８によりガスの流れと逆の方向の力を与えられていたが、コイルばねに換えて他の種類のばねとしてもよい。また、圧縮空気の弾力をピストンに与える、いわゆる空気ばねとしてもよい。空気に替えて窒素等の他の気体としてもよい。さらには、ゴムや樹脂等の他の弾性材料によって構成してもよい。また、第１の単セル内燃料ガス流路３０Ａ内において、コイルばね１３８はピストン１３６より下流側に設けられていたが、これに換えて、コイルばねをピストンより上流側に設け、ピストンを上流側から引っ張る構成としてもよい。
【００６２】
（４）上記第１実施例および第２実施例では、入口部が閉塞された第２の単セル内燃料ガス流路３０Ｂ、１３０Ｂが、第１の単セル内燃料ガス流路３０Ａ、１３０Ａと対になって設けられていたが、必ずしも対となる必要はなく、第１の単セル内燃料ガス流路が２本毎に第２の単セル内燃料ガス流路を設けた構成としてもよい。また、第２の単セル内燃料ガス流路の入口部は必ずしも閉塞されている必要はなく、入口部はガス供給マニホールドと接続された構成としてもよい。さらには、セパレータは、第２の単セル内燃料ガス流路を無くして第１の単セル内燃料ガス流路だけが形成される構成としてもよい。
【００６３】
（５）上記第１実施例および第２実施例では、第１および第２の単セル内燃料ガス流路は、ストレート型のものであったが、これに換えて、蛇行形状であるサーペンタイン型のものとしてもよい。また、燃料ガス流路の形状はいずれの形状とすることもできる。
【００６４】
（６）前記実施例では、燃料電池スタックは固体高分子型燃料電池としたが、固体酸化物型燃料電池やリン酸型燃料電池等、異なる種類の燃料電池に適用することも可能である。
【００６５】
（７）前記実施例や変形例の燃料電池システムは車両に搭載する構成とすることができる。また、これに替えて、船舶、航空機などの他の移動体や、その他各種産業機械などに搭載することも可能である。
【図面の簡単な説明】
【００６６】
【図１】本発明の第１実施例に係る燃料電池を模式的に示す説明図である。
【図２】セパレータ２０を示す説明図である。
【図３】第１の単セル内燃料ガス流路３０Ａに設けられた弁体３６を示す斜視図である。
【図４】第１の単セル内燃料ガス流路３０Ａおよびその周辺の燃料ガスの流れを示す説明図である。
【図５】電流密度と先端ガス抜け率との関係を示すグラフである。
【図６】電流密度とガス拡散層における燃料ガスの圧力損失との関係を示すグラフである。
【図７】第２実施例におけるセパレータ１２０を示す説明図である。
【図８】コイルばね１３８およびその周辺を示す破断斜視図である。
【図９】第１の単セル内燃料ガス流路１３０Ａおよびその周辺の燃料ガスの流れを示す説明図である。
【符号の説明】
【００６７】
１…燃料電池スタック
１０…単セル
１３…電解質膜
１４…アノード
１４ａ…電極触媒層
１４ｂ…ガス拡散層
１５…カソード
１５ａ…電極触媒層
１５ｂ…ガス拡散層
２０…セパレータ
３０…単セル内燃料ガス流路
３０Ａ…第１の単セル内燃料ガス流路
３２Ａ…入口部
３４Ａ…出口部
３０Ｂ…第２の単セル内燃料ガス流路
３２Ｂ…入口部
３４Ｂ…出口部
３６…弁体
３８、３９…弁片
４０…単セル内酸化剤ガス流路
５０…燃料ガス供給マニホールド
５２…燃料ガス排出マニホールド
１２０…セパレータ
１３０Ａ…第１の単セル内燃料ガス流路
１３２Ａ…入口部
１３４Ａ…出口部
１３０Ｂ…第２の単セル内燃料ガス流路
１３２Ｂ…入口部
１３４Ｂ…出口部
１３６…ピストン
１３８…コイルばね
１５０…燃料ガス供給マニホールド
１５２…燃料ガス排出マニホールド
【図１】
2010123315.tif 000003
【図２】
2010123315.tif 000004
【図３】
2010123315.tif 000005
【図４】
2010123315.tif 000006
【図５】
2010123315.tif 000007
【図６】
2010123315.tif 000008
【図７】
2010123315.tif 000009
【図８】
2010123315.tif 000010
【図９】
2010123315.tif 000011